(57)【要約】【課題】本発明は、径の異なる２種類の吸引チューブを兼用することができるとともに、吸引チューブの径に関わらず流路抵抗を抑えることのできる吸引チューブ取付具を提供する。【解決手段】本発明の吸引チューブ取付具は、吸引チューブと、第１吸引チューブ差込孔と、第１吸引チューブ差込孔よりも小径の第２吸引チューブ差込孔と、を軸方向にずらして同心状に配置した筒状のチューブ取付部と、チューブ取付部から送り出された内容液を吐出するノズルヘッドと、を備え、チューブ取付部は、軸方向に並ぶ第１領域および第２領域を有する第１内周壁と、第１領域に設けられた第１吸引チューブ差込孔と、第２領域の第１内周壁側から中心軸に向かって突出するとともに周方向へ互いに間隔をおいて配置された複数の凸部と、複数の凸部によって形成される第２吸引チューブ差込孔と、第１内周壁の第２領域側の端部に設けられ中央に開口を有する壁部と、を有する。【選択図】図２
2017020407.tif 000002
【特許請求の範囲】
【請求項１】
内容液を収容する容器に取り付けられ、前記容器内の内容液を吸い上げて吐出する吸引チューブ取付具であって、
前記容器内の前記内容液を吸引する吸引チューブと、
第１吸引チューブ差込孔と、前記第１吸引チューブ差込孔よりも小径の第２吸引チューブ差込孔と、を軸方向にずらして同心状に配置した筒状のチューブ取付部と、
前記チューブ取付部に接続され当該チューブ取付部から送り出された内容液を吐出するノズルヘッドと、を備え、
前記チューブ取付部は、
軸方向に並ぶ第１領域および第２領域を有する第１内周壁と、
前記第１領域に設けられた前記第１吸引チューブ差込孔と、
前記第２領域の前記第１内周壁側から中心軸に向かって突出するとともに周方向へ互いに間隔をおいて配置された複数の凸部と、
前記複数の凸部によって形成される前記第２吸引チューブ差込孔と、
前記第１内周壁の前記第２領域側の端部に設けられ中央に開口を有する壁部と、を有することを特徴とする吸引チューブ取付具。
【請求項２】
前記開口は、少なくとも前記第２吸引チューブ差込孔よりも小さい径を有する
ことを特徴とする請求項１に記載の吸引チューブ取付具。
【請求項３】
前記壁部は、少なくとも前記開口の周囲に第２吸引チューブ当接面を有し、
前記第２吸引チューブ差込孔に挿入された前記吸引チューブの端部の少なくとも一部が、周方向に亘って前記第２吸引チューブ当接面に当接するよう構成されている
請求項１または２に記載の吸引チューブ取付具。
【請求項４】
前記第１内周壁の前記第２領域に、前記第２吸引チューブ差込孔を形成する第２内周壁を有している
請求項１から３のいずれか一項に記載の吸引チューブ取付具。
【請求項５】
前記第１内周壁と前記第２内周壁との段差によって形成される第１吸引チューブ当接面を有している請求項４に記載の吸引チューブ取付具。
【発明の詳細な説明】
【技術分野】
【０００１】
本発明は、吸引チューブ取付具に関する。
【背景技術】
【０００２】
従来、アルコール成分等を含む比較的粘度の低い内容液を抽出対象とするポンプディスペンサーには、抽出を実現するために径の小さな吸引ディップチューブを使用する。一方、洗髪料（リンス、コンディショナー、シャンプー等）等の粘度の比較的高い内容液を対象としたものにあっては、径の大きな吸引ディップチューブを使用するのが一般的である。そのため、ディスペンサーの吸引チューブ取付具として、内容液の粘性に合わせて複数種類（一般的には大小２種類）の吸引チューブ取付具を用意する必要があった。
【０００３】
特許文献１には、径の異なる吸引チューブを取り付け可能なアダプターを内蔵した構成が開示されている。特許文献２には、径の異なる吸引チューブの取り付け位置を二重構造とした構成が開示されている。
【先行技術文献】
【特許文献】
【０００４】
【特許文献１】特開２０１４−２１４７２４号公報
【特許文献２】特開平１０−５６３８号公報
【発明の概要】
【発明が解決しようとする課題】
【０００５】
しかしながら従来の構成では、径の大きい吸引チューブに差し替えたとしても接続部分における流路断面が小さいため、流路抵抗が大きくなり、内容液の吸い上げの妨げとなっていた。
【０００６】
本発明は上記事情に鑑みてなされたものであり、径の異なる２種類のチューブを兼用することができるとともに、吸引チューブの径に関わらず流路抵抗を抑えることのできる吸引チューブ取付具を提供することを目的とする。
【課題を解決するための手段】
【０００７】
本発明の一態様における吸引チューブ取付具は、内容液を収容する容器に取り付けられ、前記容器内の内容液を吸い上げて吐出する吸引チューブ取付具であって、前記容器内の前記内容液を吸引する吸引チューブと、第１吸引チューブ差込孔と、前記第１吸引チューブ差込孔よりも小径の第２吸引チューブ差込孔と、を軸方向にずらして同心状に配置した筒状のチューブ取付部と、前記チューブ取付部に接続され当該チューブ取付部から送り出された内容液を吐出するノズルヘッドと、を備え、前記チューブ取付部は、軸方向に並ぶ第１領域および第２領域を有する第１内周壁と、前記第１領域に設けられた前記第１吸引チューブ差込孔と、前記第２領域の前記第１内周壁側から中心軸に向かって突出するとともに周方向へ互いに間隔をおいて配置された複数の凸部と、前記複数の凸部によって形成される前記第２吸引チューブ差込孔と、前記第１内周壁の前記第２領域側の端部に設けられ中央に開口を有する壁部と、を有することを特徴とする。
【０００８】
また、本発明の一態様における吸引チューブ取付具において、前記開口は、少なくとも前記第２吸引チューブ差込孔よりも小さい径を有する構成としてもよい。
【０００９】
また、本発明の一態様における吸引チューブ取付具において、前記壁部は、少なくとも前記開口の周囲に第２吸引チューブ当接面を有し、前記第２吸引チューブ差込孔に挿入された前記吸引チューブの端部の少なくとも一部が、周方向に亘って前記第２吸引チューブ当接面に当接するよう構成されている構成としてもよい。
【００１０】
また、本発明の一態様における吸引チューブ取付具において、前記第１内周壁の前記第２領域に、前記第２吸引チューブ差込孔を形成する第２内周壁を有している構成としてもよい。
【００１１】
また、本発明の一態様における吸引チューブ取付具において、前記第１内周壁と前記第２内周壁との段差によって形成される第１吸引チューブ当接面を有している構成としてもよい。
【発明の効果】
【００１２】
本発明によれば、径の異なる２種類の吸引チューブを兼用することができるとともに、吸引チューブの径に関わらず流路抵抗を抑えることのできる吸引チューブ取付具を提供することができる。
【図面の簡単な説明】
【００１３】
【図１】第１実施形態におけるポンプディスペンサーを容器に装着した状態を示す図。
【図２】第１実施形態におけるポンプディスペンサーの構成を示す部分断面図、使用前の状態を示す図。
【図３】（ａ）は、図２におけるＡ−Ａ’断面図、（ｂ）は、図２におけるＢ−Ｂ’断面図。
【図４】チューブ取付部の概略構成を示す斜視図。
【図５】（ａ）は、チューブ取付部における断面図、（ｂ）は、チューブ取付部を軸方向から見た下面図。
【図６】第２実施形態のポンプディスペンサーにおける要部を示す斜視図。
【図７】第２実施形態のポンプディスペンサーにおける要部を示す部分断面図。
【発明を実施するための形態】
【００１４】
［第１実施形態］
以下に、本発明に係る吸引チューブ取付具の一例について、図面を参照して詳細に説明する。なお、以下の各図面においては、各構成要素を見やすくするため、構成要素によって寸法の縮尺を異ならせて示すことがある。
【００１５】
図１は、第１実施形態におけるポンプディスペンサーを容器に装着した状態を示す図である。図２は、第１実施形態におけるポンプディスペンサーの構成を示す部分断面図である。なお、図２は使用前の状態を示す図である。図３（ａ）は、図２におけるＡ−Ａ’断面図であり、図３（ｂ）は、図２におけるＢ−Ｂ’断面図である。図４は、チューブ取付部の概略構成を示す斜視図である。図５（ａ）は、チューブ取付部における断面図であり、図５（ｂ）は、チューブ取付部を軸方向から見た下面図である。
【００１６】
図２に示す本実施形態のポンプディスペンサー（吸引チューブ取付具）１１は、内容液Ｌが収容された容器１０に装着されるもので、押圧操作により、容器１０内に収容された内容液Ｌを定量吐出するためのものである。
【００１７】
ポンプディスペンサー１１は、ノズルヘッド１２と、ノズルヘッド１２に内容液Ｌを圧送するポンプ本体部１３と、容器１０の開口部に螺合装着される装着キャップ１４と、ポンプ本体部１３から垂下された円筒状の吸引チューブ１５と、を備えている。
【００１８】
ノズルヘッド１２は、平面視円形状のヘッド部１２ａと、ヘッド部１２ａの外周面から外方に延びるノズル部１２ｂと、を備える。
ヘッド部１２ａは、使用者によって下方に押圧操作される部分である。ヘッド部１２ａの内部には、後述するポンプ本体部１３により圧送された内容液Ｌをノズル部１２ｂへと導く流路（不図示）が設けられている。ノズル部１２ｂは、先端から内容液Ｌを吐出させる部分である。ノズル部１２ｂの内部の流路はヘッド部１２ａの流路と連通している。
【００１９】
図１に示すポンプディスペンサー１１は、未使用時の状態を示す図であり、ノズルヘッド１２が押し下げられた状態で装着キャップ１４に固定されている。使用時には、この固定状態を解除することで、ノズルヘッド１２が押し上げられた状態となる。
【００２０】
装着キャップ１４は、容器１０の開口部に螺合装着される部分である。装着キャップ１４の内周面には、容器１０における開口部の外周面に設けられたネジ部と螺合するネジ部が設けられている。容器の開口部に装着キャップ１４が螺合されることで、容器に対して本実施形態のポンプディスペンサー１１が取り外し可能に装着される。
【００２１】
ポンプ本体部１３は、ノズルヘッド１２におけるヘッド部１２ａを押し下げた際に容器に収容された内容液Ｌをヘッド部１２ａへと圧送する部分である。ポンプ本体部１３は、装着キャップ１４から上方に延び、上下方向に移動可能に支持されたステム１６と、装着キャップ１４の下面から垂下されたシリンダ１７と、シリンダ１７の下端側に設けられたチューブ取付部１９と、を備えている。
【００２２】
ステム１６の上端部にノズルヘッド１２におけるヘッド部１２ａが取り付けられている。ステム１６はシリンダ１７側からヘッド部１２ａへ向かって付勢された状態となっており、この付勢力に抗してヘッド部１２ａを押し下げることが可能となっている。
【００２３】
シリンダ１７は、内容液Ｌが充填されるポンプ室を形成するものであり、その下端部には容器１０に収容された内容液Ｌを吸引する吸引口（不図示）と、吸引口を開閉する例えば球状の弁体（不図示）とが設けられている。弁体は、ポンプ室の拡張操作によりシリンダ１７内に負圧が発生する場合のみ吸引口を開放する。
【００２４】
シリンダ１７内には、図２に示すように、ステム１６（図１）を上方に向かって付勢する圧縮コイルバネ２１と、ステム１６の下端部に取り付けられたピストン（不図示）とが設けられている。ピストンは、シリンダ１７の内面と摺接しながら、シリンダ１７内で加圧された内容液Ｌを、ステム１６を通じてノズルヘッド１２側へと圧送する役割を果たす。
【００２５】
シリンダ１７における、下端側であって容器１０の開口部側に位置する部分には、径の異なる大径吸引チューブ１５あるいは小径吸引チューブ２５のいずれかを取り付け可能なチューブ取付部１９が設けられている。チューブ取付部１９は、上記２種類の吸引チューブ１５，２５を選択的に装着可能とするもので、径の異なる２つの吸引チューブ差込孔２０Ａ，２０Ｂを有している。
【００２６】
吸引チューブ１５は、シリンダ１７の下端部から適用される容器１０の底面まで達する長さを有している。吸引チューブ１５内の流路はシリンダ１７の吸引口と繋がっている。
【００２７】
（チューブ取付部）
次に、チューブ取付部の構成について詳しく説明する。
【００２８】
チューブ取付部１９は、図２及び図３（ａ），（ｂ）に示すように、径の異なる第１吸引チューブ差込孔２０Ａ及び第２吸引チューブ差込孔２０Ｂを軸方向にずらして同心状に配置した円筒体８を有している。円筒体８は、第１内周壁１９ａと、第１内周壁１９ａの軸方向一端側に設けられた壁部２６と、を有している。
【００２９】
第１内周壁１９ａは、軸方向の一端（容器１０）側に第１領域Ａ１を有し、第１領域Ａ１以外の領域であって軸方向の他端（ノズルヘッド１２）側に第２領域Ａ２を有している。
【００３０】
第１内周壁１９ａの第１領域Ａ１には、第１吸引チューブ差込孔２０Ａが設けられている。第１内周壁１９ａの第１領域Ａ１における内径は、大径吸引チューブ１５の外径と略等しく、第１吸引チューブ差込孔２０Ａにおいて内部に挿入された大径吸引チューブ１５を保持できるようになっている。
【００３１】
第１内周壁１９ａの第２領域Ａ２には、第１内周壁１９ａよりも径の小さい第２内周壁１９ｂが設けられている。第２内周壁１９ｂは、大径吸引チューブ１５の内径と略同じ内径を有し、第１吸引チューブ差込孔２０Ａ内に挿入される大径吸引チューブ１５に連通可能である。第２領域Ａ２には、第２内周壁１９ｂから中心軸に向かって所定の高さで突出するとともに、周方向へ互いに間隔をおいて配置された複数の凸部２２がさらに設けられている。
【００３２】
凸部２２は、図４に示すように軸方向に所定の長さを有し、第２領域Ａ２の全体に亘って凸条に形成されている。複数の凸部２２の各突出面２２ａは軸回りに環状を描くように存在し、第２吸引チューブ差込孔２０Ｂを構成している。第２吸引チューブ差込孔２０Ｂは、小径吸引チューブ２５の外径と略等しい直径を有し、内部に挿入された小径吸引チューブ２５を保持できるようになっている。
【００３３】
凸部２２は少なくとも２つ以上設けられ、軸回りで隣り合う凸部２２の間には溝２９がそれぞれ存在する。各溝２９は、第１吸引チューブ差込孔２０Ａに連通し、第１吸引チューブ差込孔２０Ａに挿入される大径吸引チューブ１５に連通可能とされている。
【００３４】
なお、本実施形態では、凸部２２の軸方向に交差する断面形状は台形形状であるが、これに限定されず、矩形形状、半円形状等が挙げられる。また、凸部２２の数や中心軸回りにおける凸部２２の幅寸法等は、適宜設定される。上述したように、第２内周壁１９ｂは、大径吸引チューブ１５の内径と略同じ内径を有していることから、第２内周壁１９ｂ内に大径吸引チューブ１５と略同じ流路抵抗の流路が形成される。そのため、凸部２２の数や幅に関しては、第２内周壁１９ｂ側の流路抵抗が大径吸引チューブ１５の流路抵抗よりも大幅に大きくなることのないよう、適宜設定する必要がある。
【００３５】
円筒体８は、図４に示すように、第１内周壁１９ａと第２内周壁１９ｂとの境界部分に、これら段差によって形成される第１吸引チューブ当接面２４を有している。この第１吸引チューブ当接面２４に、第１吸引チューブ差込孔２０Ａ内に差し込まれた大径吸引チューブ１５の端部が当接することになる（図２）。
【００３６】
第１吸引チューブ当接面２４の径方向に沿う長さ、つまり第１内周壁１９ａと第２内周壁１９ｂとの段差の大きさは、例えば大径吸引チューブ１５の肉厚に相当する。大径吸引チューブ１５の肉厚より大きな段差であった場合は、第１吸引チューブ当接面２４が大径吸引チューブ１５よりも径方向内側に存在することになり、大径吸引チューブ１５の上流側の流路を狭めてしまう。そのため、大径吸引チューブ１５の肉厚より小さな段差であれば構わない。
【００３７】
また、第１吸引チューブ当接面２４は、少なくとも大径吸引チューブ１５の端面を周方向に亘ってシール（封止）する役割も有しており、これにより、大径吸引チューブ１５の端面との隙間から空気や液漏れが生じないようになっている。
【００３８】
壁部２６は、第１内周壁１９ａの軸方向一方（第２内周壁１９ｂ）側の端部に設けられ、中央に開口２６ａを有している。開口２６ａの直径は、少なくとも第２吸引チューブ差込孔２０Ｂよりも小さく、小径吸引チューブ２５の内径（流路）よりも大きくなるように設定する。本実施形態では、開口２６ａの直径が小径吸引チューブ２５の内径よりも大きくなっているがこれに限定されず、小径吸引チューブ２５の内径と略等しくても構わない。但し、開口２６ａの直径が小径吸引チューブ２５の内径よりも小さい場合は、開口２６ａにおいて流路抵抗を高めてしまうことになるため好ましくない。
【００３９】
上述したように、開口２６ａは、第２吸引チューブ差込孔２０Ｂよりも小さい径を有していることから、環状に配置された複数の凸部２２よりも中心軸側にまで壁部２６が存在している。壁部２６における、複数の凸部２２よりも中心軸側であって、少なくとも開口２６ａの周囲を構成する部分は、本発明における第２吸引チューブ当接面２７に相当する。この第２吸引チューブ当接面２７に、第２吸引チューブ差込孔２０Ｂに差し込まれた小径吸引チューブ２５の端部が当接することになる。
【００４０】
第２吸引チューブ当接面２７は、少なくとも小径吸引チューブ２５の端面を周方向に亘ってシール（封止）する役割も有しており、これにより、小径吸引チューブ２５の端面との隙間から空気や液漏れが生じないようになっている。
【００４１】
ポンプディスペンサー１１における、ノズルヘッド１２、ポンプ本体部１３、装着キャップ１４及び吸引チューブ１５，２５を形成する材料としては、特に限定されず、ポンプディスペンサーに通常用いられる公知の材質を採用できる。例えば、ポリエチレン樹脂、ポリプロピレン樹脂、ポリエステル樹脂等の合成樹脂材料が挙げられる。このような合成樹脂材料を用いて、射出成形等の成形方法を用いて形成される。
【００４２】
（内容液）
内容液Ｌの具体例としては、洗髪料（リンス、コンディショナー、シャンプー等）、石鹸類（ハンドソープ、ボディソープ等）等の高粘度の内容液化粧液、洗浄剤、液体洗剤、柔軟仕上げ剤、液体歯磨き等が挙げられる。
【００４３】
（作用効果）
以下、ポンプディスペンサー１１の作用について説明する。
容器１０に収容される内容液Ｌの種類（粘性）に応じて、装着する吸引チューブの大きさを選択する。内容液Ｌが高粘度の場合には大径吸引チューブ１５を選択し、低粘度の場合には小径吸引チューブ２５を選択する。
【００４４】
本実施形態のチューブ取付部１９に大径吸引チューブ１５を装着する場合には、第１吸引チューブ差込孔２０Ａ内に大径吸引チューブ１５を挿入し、その端部が第１吸引チューブ当接面２４に当接するまで挿入させる。
【００４５】
一方、チューブ取付部１９に小径吸引チューブ２５を装着する場合には、第２吸引チューブ差込孔２０Ｂ内に小径吸引チューブ２５を挿入し、その端部が第２吸引チューブ当接面２７に当接するまで挿入させる。
【００４６】
そして、いずれかの吸引チューブ１５（２５）を備えたポンプディスペンサー１１を内容液Ｌが収容された容器１０に取り付けた後、ノズルヘッド１２の押圧操作を行うことで内容液Ｌを吐出させる。
【００４７】
ここでは、大径吸引チューブ１５を装着した場合について述べる。
大径吸引チューブ１５を装着したポンプディスペンサー１１により、容器１０内の内容液Ｌを吐出させる場合は、ノズルヘッド１２を付勢力に抗して押し下げると、ピストンが下降してシリンダ１７内に充填された内容液Ｌが加圧される。加圧された内容液Ｌは、ステム１６を通じてノズルヘッド１２へと圧送され、ノズル部１２ｂの先端から吐出される。ノズルヘッド１２に対する押圧を解除すると、押し下げられたノズルヘッド１２がステム１６とともに上昇し、シリンダ１７内に負圧が発生する。この負圧によって、容器１０内に収容された内容液Ｌが吸引チューブ１５（２５）内に吸い込まれ、シリンダ１７内に再充填される。
【００４８】
ここで、内容液Ｌを吐出させる際には、ノズルヘッド１２の押圧操作によって吸引チューブ１５（２５）内に吸引された内容液Ｌが、吸引チューブ１５（２５）からチューブ取付部１９に設けられた複数の凸部２２の間の溝２９を通過して、壁部２６の開口２６ａからシリンダ１７内へ吸引される。第２内周壁１９ｂは、大径吸引チューブ１５の内径（流路径）と略等しい内径を有しているため、大径吸引チューブ１５と略等しい流路抵抗の流路を形成する。これにより、大径吸引チューブ１５から流出した内容液Ｌが第２内周壁１９ｂ内の流路をスムーズに流動し、流路抵抗による吐出不良を生じさせることなく良好な吐出が行える。
【００４９】
ここで、第２吸引チューブ差込孔２０Ｂが軸回りに連続する面によって形成された溝２９のない構成の場合は、円筒体８の軸方向に交差する方向おける流路面積が第１領域Ａ１と第２領域Ａ２とで大きく異なってしまうが、本実施形態では、円筒体８の第２領域Ａ２側に溝２９を設けたことにより、上述した溝２９のない構成に比べて、第１領域Ａ１と第２領域Ａ２との流路面積の差を小さくすることができる。これにより、大径吸引チューブ１５を装着した状態であっても、第２吸引チューブ差込孔２０Ｂ側において流路抵抗が大きくならず、大径吸引チューブ１５から第２領域Ａ２側へと吸引された内容液Ｌがスムーズに流出することになる。
【００５０】
また、小径吸引チューブ２５を装着したポンプディスペンサー１１の場合であっても、本実施形態では、円筒体８の壁部２６における開口２６ａの直径が小径吸引チューブ２５の流路径よりも若干大きくなっていることから、開口２６ａにおいて流路抵抗が大きくなることがない。そのため、小径吸引チューブ２５から流出した内容液Ｌが壁部２６の開口２６ａをスムーズに通過し、良好な吐出が行える。
【００５１】
以上、本実施形態によれば、径の異なる２種類の吸引チューブ１５，２５を兼用することができるとともに、吸引チューブ１５，２５の径に関わらず流路抵抗を抑えることのできるポンプディスペンサー１１を提供することができる。
【００５２】
［第２実施形態］
次に、本発明の第２実施形態について説明する。
図６は、第２実施形態のポンプディスペンサーにおける要部を示す斜視図である。図７は、第２実施形態のポンプディスペンサーにおける要部を示す部分断面図である。
以下に示す本実施形態のポンプディスペンサーの基本構成は、上記第１実施形態と略同様であるが、第２内周壁を有していない点において異なる。よって、以下の説明では、先の実施形態と異なる点について詳しく説明し、共通な箇所の説明は省略する。また、説明に用いる各図面において、図１〜図５と共通の構成要素には同一の符号を付すものとする。
【００５３】
図６及び図７に示すように、本実施形態のポンプディスペンサーのチューブ取付部１９は、直径が軸方向で等しい第１内周壁１９ａを有する円筒体８を備えている。円筒体８は、第１内周壁１９ａと、第１内周壁１９ａの第２領域Ａ２側に設けられた複数の凸部２８と、を有している。第１実施形態と同様、第１内周壁１９ａの第１領域Ａ１には第１吸引チューブ差込孔２０Ａが形成されている。
【００５４】
複数の凸部２８は、第１内周壁１９ａに対して直接設けられており、第１内周壁１９ａから中心軸に向かって所定の高さで突出している。複数の凸部２８は、第１内周壁１９ａの第２領域Ａ２において中心軸回りに所定の間隔をおいて配置されており、各突出面２８ａによって第２吸引チューブ差込孔２０Ｂを形成している。本実施形態では、第２内周壁を設けていない分、凸部２８の高さが第１実施形態の凸部２２の高さよりも高くなっているが、複数の凸部２８によって第２吸引チューブ差込孔２０Ｂを構成する点は同じである。
【００５５】
円筒体８の第１内周壁１９ａと第２内周壁１９ｂとの境界部分には、複数の凸部２８の各下面２８ｂが存在する。これら各凸部２８の各下面２８ｂは、大径吸引チューブ１５が第１吸引チューブ差込孔２０Ａ内に差し込まれた際に、その端面が部分的に当接する第１吸引チューブ当接面２４として機能する。
ここで、本実施形態では、第１実施形態と違って、大径吸引チューブ１５の端面を第１吸引チューブ当接面２４において周方向に亘って封止する構成にはなっていない。そのため、大径吸引チューブ１５の外周面と第１内周壁１９ａとを密着させることによって、空気や液漏れを防止するようになっている。
【００５６】
また、第１内周壁１９ａの第２領域Ａ２側の端部に設けられた壁部２６には、その中央に開口２６ａが設けられている。開口２６ａの直径は、第２吸引チューブ差込孔２０Ｂの直径よりも小さく、壁部２６における開口２６ａの周辺部分、つまり各凸部２８よりも軸方向内側に存在する部分が第２吸引チューブ当接面２７となっている。
【００５７】
なお、本実施形態においても、凸部２８の数や軸回りにおける凸部２８の幅寸法等は、適宜設定される。凸部２８の数や幅寸法等は、小径吸引チューブ２５を第２吸引チューブ差込孔２０Ｂにおいて確実に保持することができるとともに、大径吸引チューブ１５から流出した内容液Ｌの流路抵抗を増大させることのないように決定する。
【００５８】
本実施形態によれば、第１内周壁１９ａに複数の凸部２８を直接設けることにしたため、凸部２８間に形成される溝３０も大きくなり、第１実施形態よりも第２領域Ａ２側の流路面積を大きくすることができる。また、第２領域Ａ２側に形成される流路の径は第１内周壁１９ａの径と等しく、大径吸引チューブ１５の流路径よりも大きい。
このため、溝３０の数や大きさにもよるが、大径吸引チューブ１５よりも第２領域Ａ２側の流路抵抗を低くして流量を大きくすることが可能である。その結果、比較的粘性の高い内容液Ｌであっても吸い上げを妨げることのない流路面積を確保することができ、良好な吐出が行えるようになる。
【００５９】
また、第２内周壁１９ｂを設けず、第１内周壁１９ａに複数の凸部２８を直接形成することによって、構成が簡単になるとともに材料を減らすことができるため、コストダウンを図ることができる。
【実施例】
【００６０】
次に、本発明の実施例を挙げて、本発明をさらに詳細に説明するが、本発明は下記実験例等に限定されるものではない。
【００６１】
［実験例］
本実験例においては、以下に示す条件で、本発明の実施例におけるポンプディスペンサーと、比較例１，２におけるポンプディスペンサーと、による内容液の吸い上げ実験を行った。内容液の吸い上げ時間とは、ノズルヘッド１２を一旦押し下げた後、上昇する際に内容液Ｌが吸引チューブ内に吸い込まれる時間である。
【００６２】
本実施例と同様に、比較例１，２においても２種類の吸引チューブ兼用タイプであって、大径吸引チューブ及び小径吸引チューブを装着可能である。
【００６３】
比較例１のポンプディスペンサーでは、小径吸引チューブ差込孔の直径と、大径吸引チューブの内径と、が略同じ大きさとなっている。そのため、小径吸引チューブ差込孔側に、大径吸引チューブと略同じ流路面積を有する流路が形成されている。小径吸引チューブ差込孔は軸回りに連続した面によって構成されており、実施例と同じような溝は設けられていない。
【００６４】
比較例２のポンプディスペンサーでは、小径吸引チューブ差込孔の直径が、大径吸引チューブの内径よりも小さい構成となっている。また、比較例１と同じ、小径吸引チューブ差込孔は軸回りに連続した面によって構成されており、実施例のような溝は設けられていない。
【００６５】
＜条件＞
内容液：ジェルシャンプ−
粘度  ：１８〜３０Ｐａ・Ｓ
液温  ：２０℃
【００６６】
【表１】
2017020407.tif 000003
【００６７】
（実験結果）
表１に示すように、大径吸引チューブを装着した場合において、実施例のポンプディスペンサーでは内容液の吸い上げ時間が０．５秒であった。
比較例１のポンプディスペンサーでは、内容液の吸い上げ時間が０．４５秒であった。
また、比較例２のポンプディスペンサーでは、内容液の吸い上げ時間が０．６５秒であった。
【００６８】
比較例１の構成は、第２吸引チューブ差込孔の直径が大径吸引チューブの内径と略等しいことから、大径吸引チューブと小径吸引チューブとで大きさにあまり差がない場合に最適なものである。
【００６９】
これに対し、実施例及び比較例２の構成は、第２吸引チューブ差込孔の直径が大径吸引チューブの内径よりも小さく、大径吸引チューブと小径吸引チューブとで直径の差が大きい場合を対象としている。
【００７０】
第２領域に溝を有する実施例では、第２領域側に溝を有していない比較例２に比べて内容液の吸い上げ時間が０．１５秒程度短縮されており、第２領域における流路抵抗が比較例２よりも小さくなっていることが分かる。
【００７１】
よって、今回の実験結果により、直径の差が大きい吸引チューブを装着可能な構成とした本実施例の構成によれば、比較例２の構成よりも流路抵抗による吐出不良が改善されて、良好な吐出を行えることが分かった。
【００７２】
なお、表１において、実施例のポンプディスペンサーに小径吸引チューブを装着した場合は、内容液の吸い上げ時間が０．９秒であった。
【００７３】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【００７４】
先に述べたように、第２吸引チューブ当接面２７は、小径吸引チューブ２５の端面を周方向に亘ってシールする役割もあることから、貫通孔を設ける場合には、小径吸引チューブ２５の端面と第２吸引チューブ当接面２７との隙間から空気や液漏れが生じないように形成する。これにより、小径吸引チューブ２５を装着させた際に、貫通孔による影響を受けることがない。
【００７５】
また、先の各実施形態では、ポンプ式のディスペンサーの構成について述べたが、これに限られず、トリガー式、スクイズ式、スプレー式等であってもよい。
【符号の説明】
【００７６】
８…円筒体、Ｌ…内容液、１０…容器、１１…ポンプディスペンサー（吸引チューブ取付具）、１２…ノズルヘッド、１５…吸引チューブ、１９…チューブ取付具、１９ａ…第１内周壁、１９ｂ…第２内周壁、２０Ａ…吸引チューブ差込孔、２０Ａ…第１吸引チューブ差込孔、２０Ｂ…第２吸引チューブ差込孔、２２，２８…凸部、２４…第１吸引チューブ当接面、２６…壁部、２６ａ…開口、Ａ１…第１領域、Ａ２…第２領域
【図１】
2017020407.tif 000004
【図２】
2017020407.tif 000005
【図３】
2017020407.tif 000006
【図４】
2017020407.tif 000007
【図５】
2017020407.tif 000008
【図６】
2017020407.tif 000009
【図７】
2017020407.tif 000010